(57)【要約】      （修正有）【課題】被介護者の移乗姿勢が楽になるとともに、介護者の介護作業における負担が軽減される、移動式のトイレ装置を提供する。【解決手段】移動式トイレ装置１は、背もたれ２と、背もたれ２に昇降自在に取り付けられた便座７を有する便器６と、便器６を昇降させる昇降手段を備え、昇降手段は、背もたれ２の背面の、上部近傍に配設されている。【選択図】図１
2015192847.tif 000002
【特許請求の範囲】
【請求項１】
背もたれと、前記背もたれに昇降自在に取り付けられた便座を有する便器と、前記便器を昇降させる昇降手段を備える移動式トイレ装置であって、
前記昇降手段は、
前記背もたれの背面上部に配設されていること
を特徴とする移動式トイレ装置。
【請求項２】
前記移動式のトイレ装置は、
汚物及び汚水を貯留するための貯留タンクを備え、
前記貯留タンクは、汚物及び汚水を外系に排出するため、前後方向の後方に向かって延設された排水管を備えること
を特徴とする請求項１に記載の移動式トイレ装置。
【請求項３】
前記移動式トイレ装置は、
脚部を備え、
前記脚部は、前記昇降手段を制動するための制動手段を備えること
を特徴とする請求項１又は２に記載の移動式トイレ装置。
【請求項４】
前記移動式トイレ装置は、
前記便器の下部に、前記昇降手段を制動するための制動手段を備えること
を特徴とする請求項１に記載の移動式トイレ装置。
【請求項５】
前記制動手段は、
前記便器の下部の、後方を除く周囲に備えられていること
を特徴とする請求項４に記載の移動式トイレ装置。
【請求項６】
前記制動手段は、
前記便器の下面の前端より突出するよう備えられていること
を特徴とする請求項４又は５に記載の移動式トイレ装置。
【請求項７】
前記移動式のトイレ装置は、
汚物及び汚水を貯留するための貯留タンクを備え、
前記貯留タンクは、
前記便器に内設され、汚物及び汚水を外系に排出するため、前後方向の後方に向かって延設された排水管を備えること
を特徴とする請求項４〜６のいずれかに記載の移動式のトイレ装置。
【請求項８】
前記移動式トイレ装置は、
前記便座を、前後方向に所要角度傾斜させる搖動手段を備えること
を特徴とする請求項１〜７のいずれかに記載の移動式トイレ装置。
【発明の詳細な説明】
【技術分野】
【０００１】
この発明は、移動式トイレ装置に関するものである。
より詳しくは、被介護者の移乗姿勢が楽になるとともに、介護者の介護作業における負担が軽減される室内用の移動式トイレ装置に関するものである。
【背景技術】
【０００２】
従来、被介護者が利用する室内用のトイレ装置ないし便器については、種々のものが提案されている。
【０００３】
例えば、特開２０１０−２１３８６０号公報（特許文献１）においては、
使用者が排泄を行う洋風大便器と、
前記洋風大便器の位置を上下させる昇降手段と、
前記洋風大便器位置の昇降開始を指示する起動操作手段と、
を有する衛生設備機器が提案されている。
【０００４】
この衛生設備機器は、使用者に適合した複数の便座を有し、前記昇降手段による洋風大便器の昇降位置によって、前記洋風大便器上面に、前記複数の便座から所定の便座を供給する便座駆動手段を起動するので、使用者の体格にあった適切な便器高さと、便座を提供することが可能となる、とされている。
【０００５】
さらに、トイレ空間以外の任意の場所で、排泄を行う必要がある被介護者に対応するため、種々の移動式のトイレ装置が提案されている。
【０００６】
例えば、特開２００９−２１３５０２号公報（特許文献２）においては、
１）便座を便器に隣接する下降位置と、その上方の上昇位置との間で、昇降移動させる便座昇降移動手段と、
２）前記便座を、水平姿勢と前傾姿勢との間で揺動させる便座揺動手段と、
３）前記便座昇降移動手段および前記便座揺動手段の作動を、互いに連動するように制御する制御手段と、
を具えてなる、便座持ち上げ装置が提案されている。
【０００７】
この便座持ち上げ装置は、便座に着座する際には、便座を上昇位置で水平にして座り易くすることができるとともに、立ち上がる際には、便座を上昇位置で前傾にして立ち上がり易くすることができる、とされている。
【０００８】
一方、特開２００９−２１３５０２号公報（特許文献３）では、座部の下降時に座部と床面との間に、脚の膝下部分が挟み込まれることを防止できる椅子の安全装置が提案されている。
【０００９】
この特許文献３に記載の安全装置は、座部と、該座部を昇降動させる昇降駆動装置とを備えた椅子において、前記座部の下面の前端近傍に、着座者の脚の膝下部分の入り込みを感知して、座部の下降を停止させる脚センサーを設けたものである。
【先行技術文献】
【特許文献】
【００１０】
【特許文献１】特開２０１０−２１３８６０号公報（特許請求の範囲，図１）
【特許文献２】特開２００９−２１３５０２号公報（特許請求の範囲，図１）
【特許文献３】特開２０００−１５２８４２号公報（特許請求の範囲，図１）
【発明の開示】
【発明が解決しようとする課題】
【００１１】
被介護者がトイレ装置を利用する場合、良好な排泄姿勢を保つため、被介護者の膝が約９０°曲げられた状態になるよう、被介護者の体格に合わせて、便座の高さを合わせる必要がある。
【００１２】
さらに、介護者（ないし介助者）が、被介護者をベッドなどからトイレ装置へ移乗させる場合、介護者は、腰を屈め、被介護者の腰付近を、抱えて持ち上げながら移動させる必要があるため、介護者の足腰に大きな負担がかかる。
【００１３】
自分で移乗可能であっても、肢体不自由者など、関節に可動制限がある者の場合、その膝が約９０°曲げられた状態になるように設定された便座の高さでは、体重がかかった状態で、関節を大きく曲げて立ち座りする動作が必要になる。
そのため、関節を曲げることによる痛みや、関節を曲げずに着座するときの衝撃による痛みなどにより、移乗に際して苦痛を伴う場合がある。
【００１４】
さらにまた、移動式のトイレ装置では、下水又は貯留槽などの外系へと汚物や、汚水、トイレットペーパーなどを排出するため、排水管が接続される。
しかしながら、この排水管の接続位置によっては、介護者及び被介護者が排水管に躓くおそれや、介護者の介護作業の妨げになるおそれがあった。
【００１５】
上記特許文献１に開示されている衛生設備機器では、洋風大便器４は、トイレ内の後壁Ｗの前方に設置された、キャビネット２内のフレーム３に取り付けられる。
すなわち、この衛生設備機器は固定式のものであるので、トイレ空間以外の任意の場所で、排泄を行う必要がある被介護者に対応するものではない。
【００１６】
上記特許文献２に開示されている便座持ち上げ装置では、便座昇降移動手段１２および便座揺動手段１３が、便器１の下部に配設されている。
したがって、介護者は、便器１の周囲（特に、その前方又は左右）の空間を利用して介護作業を行う必要があるので、介護時の姿勢が不安定になり、腰などに負担がかかるという問題があった。
【００１７】
上記特許文献３に開示されている安全装置は、座部の下面の前端近傍に設けられるものである。
したがって、介護者が、移動式トイレ装置（特にその便器本体）の下方に形成される所要の空間に、前方ではなく左右側方から、足を入れ、踏み込んで介護作業を行う場合や被介護者自身が、肘掛を跳ね上げて、左右側方からベッド等に移乗する場合などにおいて、安全装置が十分に作動しないおそれがあった。
【００１８】
この発明はかかる現状に鑑み、被介護者の移乗姿勢が楽になるとともに、介護者の介護作業における負担が軽減される、移動式のトイレ装置を提供せんとするものである。
さらに、被介護者自身による移乗や、介護者による介護作業がより安全に行われる移動式のトイレ装置を提供する。
【課題を解決するための手段】
【００１９】
すなわち、この発明にかかる請求項１に記載の発明は、
背もたれと、前記背もたれに昇降自在に取り付けられた便座を有する便器と、前記便器を昇降させる昇降手段を備える移動式トイレ装置であって、
前記昇降手段は、
前記背もたれの背面上部に配設されていること
を特徴とする移動式トイレ装置である。
【００２０】
この発明の請求項２に記載の発明は、
請求項１に記載の移動式のトイレ装置において、
前記移動式のトイレ装置は、
汚物及び汚水を貯留するための貯留タンクを備え、
前記貯留タンクは、汚物及び汚水を外系に排出するため、前後方向の後方に向かって延設された排水管を備えること
を特徴とするものである。
【００２１】
この発明の請求項３に記載の発明は、
請求項１又は２に記載の移動式トイレ装置において、
前記移動式トイレ装置は、
脚部を備え、
前記脚部は、前記昇降手段を制動するための制動手段を備えること
を特徴とするものである。
【００２２】
この発明の請求項４に記載の発明は、
請求項１に記載の移動式トイレ装置において、
前記移動式トイレ装置は、
前記便器の下部に、前記昇降手段を制動するための制動手段を備えること
を特徴とするものである。
【００２３】
この発明の請求項５に記載の発明は、
請求項４に記載の移動式トイレ装置において、
前記制動手段は、
前記便器の下部の、後方を除く周囲に備えられていること
を特徴とするものである。
【００２４】
この発明の請求項６に記載の発明は、
請求項４又は５に記載の移動式トイレ装置において、
前記制動手段は、
前記便器の下面の前端より突出するよう備えられていること
を特徴とするものである。
【００２５】
この発明の請求項７に記載の発明は、
請求項４〜６のいずれかに記載の移動式のトイレ装置において、
前記移動式のトイレ装置は、
汚物及び汚水を貯留するための貯留タンクを備え、
前記貯留タンクは、
前記便器に内設され、汚物及び汚水を外系に排出するため、前後方向の後方に向かって延設された排水管を備えること
を特徴とするものである。
【００２６】
この発明の請求項８に記載の発明は、
請求項１〜７のいずれかに記載の移動式トイレ装置において、
前記移動式トイレ装置は、
前記便座を、前後方向に所要角度傾斜させる搖動手段を備えること
を特徴とするものである。
【発明の効果】
【００２７】
この発明にかかる移動式トイレ装置は、便座を有する便器を上下方向に移動（昇降）させるための駆動装置（昇降手段）を有し、これにより前記便器を上下方向に移動（昇降）させる。
したがって、被介護者の体格に合わせて便座の高さを合わせることができるので、被介護者の移乗姿勢が楽になるとともに、介護者の介護作業における負担が軽減される。
さらに、自己で移乗可能であっても、肢体不自由者など、関節に可動制限がある者の場合には、便座を着座位置より高く設定できるので、関節への負担や着座時の衝撃を著しく軽減することができる。
【００２８】
特に、この発明にかかる移動式トイレ装置は、その背もたれの上部に、便座を上下方向に移動させる昇降手段を備えるので、この移動式トイレ装置の下方前方から後方にわたって所要の空間が形成され得る。
したがって、介護者は、前記空間に足を入れ、踏み込んで介護作業を行うことができるので、安定した姿勢で介護を行うことができ、腰などへの負担が軽減され得る。
【００２９】
さらに、前記空間の形成によって、下水又は貯留槽などの外系へと汚物及び汚水などを排出するための排水管を、移動式トイレ装置の便器の下方に備えられている貯留タンクから前後方向の後方に向かって延設することができる。
【００３０】
この発明において、前記外系とは、貯留タンクから汚物が排出される先の排水設備であって、居室の隅などに配置される貯留槽、居室の床孔を介して床下に設けられる排水管、居室の壁孔を介して屋外に設けられる排水枡などであればよい。
【００３１】
この発明にかかる移動式トイレ装置１が、ベッドサイドなど居室の壁際ではなく、中央側に配置された場合などには、特に、介護者および被介護者が排水管に躓くおそれが低減され、加えて、介護者の介護作業の妨げになるおそれが軽減される。
【００３２】
この発明にかかる移動式トイレ装置１は、安全装置としての制動装置を、便器の下部、特に、便器の下部の、後方を除く周囲に設けることができる。
したがって、被介護者自身が、移動式トイレ装置１の左右側方からベッド等に移乗する場合であっても、これを安全に行うことができる。
さらに、介護者は、前記移動式トイレ装置の下方前部に形成される所要の空間に、前方のみならず左右側方から、足を入れ、踏み込んで介護作業を行う場合であっても、その作業を安全に行うことができる。
【図面の簡単な説明】
【００３３】
【図１】この発明の移動式トイレ装置の一実施形態を示した側面図である。
【図２】図１の移動式トイレ装置において、便器６及び便座７が最下部に移動した状態を模式的に示す側面図である。
【図３】この発明の移動式トイレ装置の一実施形態を示した正面図である。
【図４】この発明の移動式トイレ装置の一実施形態を示した背面図である。
【図５】この発明の移動式トイレ装置の他の実施形態を示した側面図である。
【図６】図５の移動式トイレ装置の正面図である。
【図７】図５の移動式トイレ装置の底面図である。
【発明を実施するための形態】
【００３４】
以下、この発明にかかる移動式トイレ装置の実施の一例を、添付の図面に基づいて具体的に説明する。
なお、この発明は、以下に説明する実施例にのみ限定されるものではなく、発明の要旨を変更しない範囲内において、種々変更することができるものである。
【００３５】
図１〜３に示すように、この発明にかかる移動式トイレ装置１は、上部が緩やかに後方に傾斜する背もたれ２と、この背もたれ２の前部側に、昇降自在に取り付けられた補助用座部３と、前記背もたれ２を支持する脚部４とから構成されている。
【００３６】
前記補助用座部３は、その下方に汚物や汚水、使用済みのトイレットペーパーなどを貯留するための貯留タンク５を備える便器６と、この便器６の上方に配される便座７、この便座７の上方に配される内蓋（図示せず）及びシート兼用の外蓋８とから構成されている。
【００３７】
かかる構成を有するこの発明の移動式トイレ装置１は、図４に示すように、前記補助用座部３を昇降させる昇降手段９が、前記背もたれ２の背面上部、実施例においては、上端部近傍に設けられている。
【００３８】
前記補助用座部３は、前記背もたれ２が装着される左右一対の支柱１１，１１に沿って上下動自在に装着されるもので、前記昇降手段９が備えるアクチュエータ１０によって、前記支柱１１，１１に沿って上下方向に移動可能するものである。
【００３９】
前記補助用座部３の昇降に伴い、補助用便座３に備えられている便器６及びその上方に配されている便座も昇降するので、被介護者の体格に合わせて前記便座７の高さを合わせることができ、被介護者の移乗姿勢が楽になるとともに、介護者の介護作業における負担が軽減される。
【００４０】
なお、この発明において、前記補助用座部３は、昇降手段９が備えるアクチュエータ１０によって、支柱１１，１１に沿って上下方向に移動するよう構成されているが、前記支柱１１，１１は、前記補助用座部３が上下方向に移動可能であれば、左右一対でなく、中心部に一本配置する構成であってもよい。
さらに、前記支柱１１は、この発明の移動式トイレ装置の後方にあればよい。
また、このような構成以外の公知の手段（例えば、特開平０６−９０９８２号公報に記載されている昇降手段）によって、補助用座部３を上下方向に移動可能としてもよい。
【００４１】
前記昇降手段９は、図４に示すように、前記背もたれ２の背面上部に配されている。
そのため、移動トイレ装置１の下方および後方に所要の空間が形成され得る。
さらに、前記支柱１１，１１が移動トイレ装置１の後方に配置され、これら支柱１１，１１によって補助用座部３が後方に支持されているので、移動式トイレ装置１の下方前部は、前方から左右側方に向かって広く所要の空間が形成され得る。
したがって、介護者は、移動式トイレ装置１の前方から左右側方において、この空間に足を入れ、踏み込んで介護作業を行うことができるので、安定した姿勢で介護を行うことができ、腰などへの負担が軽減され得る。
【００４２】
なお、前記昇降手段９が設けられる位置は、補助用座部３が最上部に移動した際、貯留タンク５も上方にあればよく、補助用座部３の上下可動範囲内において、貯留タンク５から後方に向かって延設される排水管１９と干渉しないよう、この発明の移動式トイレ装置１の下方前方から後方にわたって所要の空間を形成するのに十分な位置であればよい。
【００４３】
さらに、図４において、前記昇降手段９は、リモコン１２などの制御手段を用いることによって、前記便座の高さ位置を任意に制御できるように構成されている。
さらにまた、この発明の移動式トイレ装置１には、前記昇降手段９を制動するための制動手段を設けることができる。
図１〜４において、前記脚部４には、前記昇降手段９を制動するための制動手段（安全装置）１３が配備され、前記制動装置１３の作動によって昇降手段９を制動できるように構成されている。
【００４４】
前記脚部４は、その後端側に後輪として、水平軸だけでなく、垂直軸に対しても回転可能な一対の自在キャスタ１４，１４が設けられ、前端部には、前輪として水平軸に対してだけ回動する、固定キャスタ１５，１５がそれぞれ設けられている。
【００４５】
したがって、この発明の移動式トイレ装置１は、移動可能となっている。
なお、前記自在キャスタ１４，１４には、図１及び５に示すように、それぞれストッパ１６が設けられ、このストッパ１６による前記自在キャスタ１４，１４の回動の規制によって、移動式トイレ装置１は固定される。
【００４６】
この発明にかかる移動式トイレ装置１は、図１〜３に示すように、揺動手段、具体的にはハンドル１７を所定の方向に回すとパンタグラフ機構（図示せず）によって、便器６及びこの上方に配された便座７の前後方向の角度を、水平姿勢から所望の傾斜角、例えば、±３°の傾斜角で、変化させることができる構成となっている。
【００４７】
したがって、被介護者は、適当な姿勢で排泄できる。
なお、このような構成以外の公知の手段によって、前記便器６及び便座７を前後方向に傾斜可能としてもよい。
さらに、アクチュエータなどを設けて、前記便器及び便座の前後方向の角度を自動的に変化させるようにしてもよい。
【００４８】
この発明においては、図１に示すように、下水又は貯留槽などの外系へと汚物や、汚水、トイレットペーパーなどを排出するための排水管１８を、移動式トイレ装置１の下方に備えられている貯留タンク５から後方に向かって延設することができる。
したがって、介護者及び被介護者が排水管に躓くおそれや、介護者の介護作業の妨げになるおそれがないか、又は著しく軽減される。
【００４９】
なお、前記排水管１８から外系へと汚物及び汚水などを排出する方法については、特に制限はないので、例えば、貯留タンク５内の汚物及び汚水などを圧送ポンプや真空ポンプなどにより、排水管１８を通して外系へ排出することができる。
【００５０】
さらに、移動式トイレ装置１には、図１に示すように、汚物やトイレットペーパーなどを溶解するための５００ｍｌ程度の給水タンク１９を備えるようにしてもよく、これに代えて給水管を延設してもよい。
なお、給水管を延設する際には、この給水管を移動式トイレ装置１の後方に向かって延設することが好ましい。
【００５１】
さらにまた、給水管を延設する際には、前記昇降手段９が貯留タンク５よりも上方に配置され、貯留タンク５の後方が解放されているので、この給水管を移動式トイレ装置１の後方に向かって延設することができる。
この意味で、移動式トイレ装置１の後方空間は、排水管１８の配管時だけでなく、給水管の配管時にも有効な構成となる。
【００５２】
なお、上記実施例においては、前記昇降手段９を制動するための制動手段（安全装置）１３を、前記脚部４に配備したが、図５〜７に示すように、この制動装置１３を、便器６の下部、特に便器６の下部の、後方を除く周囲に配備することもできる。
【００５３】
この実施例においては、前記制動装置１３は、金属フレームから構成されるもので、便器６の下部の、後方を除く周囲に上下動可能に配備されている。
この制動装置１３は、通常は下方に位置しているが、例えば、介護者の足が金属フレームに当たっている状態で昇降手段９を作動させると上方移動する。
上方移動した制動装置１３は、便器６側に押し付けられると同時に、昇降手段９の昇降機能を停止させるよう作動する。
【００５４】
なお、図７に示したように、この実施例においては、前記制動装置１３は、便器６本体の下面の前端より突出するよう配備されている。
このような構成によれば、介護者が前記所要の空間に足を入れ、踏み込んで介護作業を行う場合であっても、制動装置１３の作動が確実に行われ得る。
したがって、被介護者がベッド等に安全に移乗できるだけでなく、介護者も安定した姿勢で安全に介護作業を行うことができる。
【００５５】
さらに、図７においては、前記制動装置１３は、樹脂製の貯留タンク５に直接配設することは困難であることから、この制動装置１３を吊り下げるためのアームからなる支持部材（図示せず）を介して前記便器６本体に配設されている。
この支持部材の便器６本体からの露出範囲が多いと、この支持部材に利用者が触れる機会も多くなり、過度に制動装置１３が作動して、昇降機能が停止するおそれがある。
したがって、前記制動装置１３については、前記便器６本体からの露出範囲が少なくなるよう配設されることが望ましい。
なお、前記移動式トイレ装置１は、前記制動装置１３の過度の作動を防ぐとともに、使い勝手の良さを考慮して、前記貯留タンク５を便器６本体に内設するように構成されている。
【００５６】
この発明の実施例においては、移動式トイレ装置１については、主として要介護の高齢者や肢体不自由者などの被介護者によって利用される場合について説明したが、要看護の病人など、この発明にかかる移動式トイレ装置を必要とする者すべてが利用できる。
【産業上の利用可能性】
【００５７】
この発明にかかる移動式トイレ装置は、被介護者の移乗姿勢が楽になるとともに、介護者の介護作業における負担が軽減される。
したがって、この発明は、医療業界や、介護現場において幅広く利用されるものである。
【符号の説明】
【００５８】
１          移動式トイレ装置
２          背もたれ
３          補助用座部
４          脚部
５          貯留タンク
６          便器
７          便座
８          外蓋
９          駆動手段
１０          アクチュエータ
１１          支柱
１２          リモコン
１３          制動手段
１４          自在キャスタ
１５          固定キャスタ
１６          ストッパ
１７          ハンドル
１８          排水管
１９          給水タンク
２０          肘掛け
２１          コンセント
【図１】
2015192847.tif 000003
【図２】
2015192847.tif 000004
【図３】
2015192847.tif 000005
【図４】
2015192847.tif 000006
【図５】
2015192847.tif 000007
【図６】
2015192847.tif 000008
【図７】
2015192847.tif 000009